(57)【特許請求の範囲】
【請求項１】
大気圧に対し一定の陽圧または陰圧に室内を保持するための差圧調整ダンパであって、
前記室の壁面を貫通して形成した外枠と、前記外枠内に配置した水平軸の周りを回転自在に形成され、前記外枠内の通風方向を逆転可能としたダンパ本体と、
前記外枠と前記ダンパ本体との隙間における通風を阻止するとともに、前記ダンパ本体を所定の位置に固定する、前記外枠に対して着脱自在に形成されたカバー部材とを有してなり、
前記カバー部材は、
前記外枠との係合手段を有することにより、前記外枠に対して着脱自在に形成され、
上下反転して前記外枠に装着することにより、前記外枠内の通風方向が逆転する位置に前記ダンパ本体を固定可能に形成され、
前記外枠の端部全周を封止する第１封止部材および前記ダンパ本体の通風口の縁部全周を封止する第２封止部材を有することにより、前記外枠と前記ダンパ本体との隙間における通風を阻止可能に形成されている、
ことを特徴とする請求項１に記載の差圧調整ダンパ。
【請求項２】
前記カバー部材の装着状態を検知する検知手段と、前記検知手段からの検知信号により前記室内が陽圧または陰圧のいずれに設定されるかを表示する表示手段とを有することを特徴とする請求項１に記載の差圧調整ダンパ。
【発明の詳細な説明】
【０００１】
【発明の属する技術分野】
本発明は差圧調整ダンパに関するものであり、特に室内を陽圧または陰圧のいずれにも設定可能な差圧調整ダンパに関するものである。
【０００２】
【従来の技術】
一般に、病院では無菌病室を設けている。無菌病室では、外部の空気が病室内へ流入するのを防止するため、大気圧に対し一定の陽圧に病室内を保持する必要がある。そこで、陽圧である病室内から陰圧である外部に微小量の空気を通過させて、圧力一定制御を行う差圧調整ダンパが設置されている。一方で、病院では感染症の患者を収容するため感染症対応病室を設けている。感染症対応病室では、病室内の空気が外部へ流出するのを防止するため、病室内を一定の陰圧に保持する必要がある。この場合には、陽圧である外部から陰圧である病室内に微小量の空気を通過させて、圧力一定制御を行う差圧調整ダンパが設置されている。
【０００３】
差圧調整ダンパとして、振り子式やスライド式のものが知られている。特公平１−４４９３７号公報には、スライド式の差圧調整ダンパが提案されている。図６に、同公報に記載された差圧調整ダンパの説明図を示す。なお、同図（１）は側面断面図であり、同図（２）は正面図である。この差圧調整ダンパ６１は、壁面６３に取付けたダンパ枠６５内に座板６６が傾斜配置され、座板の中央には通風口６６ａが形成されている。さらに通風口６６ａの中心部には、室内側から室外側に上向きに傾斜して、シャフト６７が固定されている。そしてシャフト６７の軸方向に沿って摺動自在に、羽根６９が配置されている。なお羽根６９は、通風口６６ａを閉塞可能な大きさに形成されている。
【０００４】
そして前記シャフト６７が上向きに傾斜して設置されているため、室内側が所定の陽圧を越えない限り、外部の圧力並びに羽根６９およびバランスウエイト７１の自重が勝り、差圧調整ダンパは全閉状態を保っている。室内側が所定の陽圧を越えたときには、羽根６９が上方向に摺動し、通風口６６ａから外部に空気が流出して圧力調整が可能となる。
【０００５】
【発明が解決しようとする課題】
病院としては、圧力制御可能な１個の病室を感染症対応病室と無菌病室とに使用できれば、空室になることが少なくなり、効率の良い運営を行うことができる。そこで、陽圧および陰圧に切替可能な圧力制御病室が望まれている。ところが、上記の特公平１−４４９３７号公報に記載された差圧調整ダンパでは、通風（空気の流れ）方向が一方向のみであるため、病室内を陽圧から陰圧にまたは陰圧から陽圧に切り替えて、圧力一定制御を行うことができないという問題がある。
【０００６】
なお、差圧調整ダンパを通風方向に合わせて取付け直すには、空気のリーク防止用のコーキング作業等が必要になり、壁面が汚れるとともに多くの工事期間が必要となる。また、２個の差圧調整ダンパを逆向きに設置する方法もあるが、スペース上または意匠上の問題等により採用できない場合がある。
【０００７】
本発明は上記問題点に着目し、陽圧および陰圧のいずれにも圧力一定制御が可能な差圧調整ダンパを、低コストで提供することを目的とする。また本発明は、室内が陽圧または陰圧のいずれに設定されるかを容易に確認することができる差圧調整ダンパの提供を目的とする。
【０００８】
【課題を解決するための手段】
上記目的を達成するため、本発明に係る差圧調整ダンパは、大気圧に対し一定の陽圧または陰圧に室内を保持するための差圧調整ダンパであって、前記室の壁面を貫通して形成した外枠と、前記外枠内に配置した水平軸の周りを回転自在に形成され、前記外枠内の通風方向を逆転可能としたダンパ本体と、前記外枠と前記ダンパ本体との隙間における通風を阻止するとともに、前記ダンパ本体を所定の位置に固定する、前記外枠に対して着脱自在に形成されたカバー部材とを有する構成とした。
【０００９】
ダンパ本体を回転させることにより、ダンパ本体の通風方向を逆転させることができる。従って、陽圧および陰圧のいずれにも圧力一定制御が可能となる。また、カバー部材を装着するだけで、外枠とダンパ本体との隙間からの通風を阻止するとともに、ダンパ本体を所定の位置に固定することができる。従って、コストを削減することが可能となる。
【００１０】
なお前記カバー部材は、前記外枠との係合手段を有することにより前記外枠に対して着脱自在に形成され、上下反転して前記外枠に装着することにより前記外枠内の通風方向が逆転する位置に前記ダンパ本体を固定可能に形成され、前記外枠の端部全周を封止する第１封止部材および前記ダンパ本体の通風口の縁部全周を封止する第２封止部材を有することにより前記外枠と前記ダンパ本体との隙間における通風を阻止可能に形成されている構成とするのが好ましい。
【００１１】
これにより、室内を陽圧と陰圧との間で切り替える際に、別途カバー部材を形成しなくても、ダンパ本体を所定位置に固定することができる。従って、コストを削減することが可能となる。一方、封止部分が摺動して損傷することがないので、長期間にわたって通風を阻止することができ、陽圧および陰圧のいずれにも圧力一定制御が可能となる。
【００１２】
また、前記カバー部材の装着状態を検知する検知手段と、前記検知手段からの検知信号により前記室内が陽圧または陰圧のいずれに設定されているかを表示する表示手段とを有する構成とするのが好ましい。カバー部材の装着状態と室内の圧力設定とは対応関係にあるので、これにより、室内が陽圧または陰圧のいずれに設定されるかを容易に確認することができる。よって、差圧調整ダンパが逆向きに固定される事態を回避することができる。
【００１３】
【発明の実施の形態】
本発明に係る差圧調整ダンパの好ましい実施の形態を、添付図面にしたがって詳細に説明する。なお以下に記載するのは本発明の実施形態の一態様にすぎず、本発明はこれらに限定されるものではない。
図１および図２に、実施形態に係る差圧調整ダンパの説明図を示す。なお、図１は図２のＢ−Ｂ線における側面断面図であり、図２は図１のＡ−Ａ線における背面断面図である。実施形態に係る差圧調整ダンパ５は、大気圧に対し一定の陽圧または陰圧に室内を保持するための差圧調整ダンパであって、室の壁面２を貫通して形成した外枠６と、外枠６内に配置した水平軸１２の周りを回転自在に形成され外枠６内の通風方向を逆転可能としたダンパ本体１０と、外枠６とダンパ本体１０との隙間における通風を阻止するとともにダンパ本体１０を所定の位置に固定する着脱自在に形成されたカバー部材３０とを有するものである。なお、カバー部材３０を反転して装着可能とするため、以下に説明する差圧調整ダンパ５の各部は、面対称に形成する。
【００１４】
まず図１に示すように、圧力制御を行う室の壁面２に矩形の貫通穴を設け、この貫通穴の内周に沿って、ステンレス等の金属材料やプラスチック材料等により外枠６を形成する。なお外枠６と室壁２との間は、通風を阻止するためシール剤（不図示）を塗布して密閉する。また、外枠６の両端部は室壁２の表面から張り出し形成する。なお、外枠６の内側は空洞とし、室内から外部へまたは外部から室内への通風を可能とする。
【００１５】
この外枠６の内側に、ダンパ本体１０を回転自在に配置する。まず図２に示すように、外枠６の内側に水平軸１２を配置する。さらに、この水平軸１２に対し回転板１４の表面を平行に配置して、水平軸１２の周りに回転可能とする。なお、水平軸１２が回転板１４の中心を通るように配置すれば、カバー部材を反転して装着可能とすることができる。一方、回転板１４の中央には通風口１６を形成する。また、この通風口１６を横断する支持部材１７を設ける。そして図１に示すように、この支持部材１７に端部を支持されつつ、回転板１４の表面から垂直に延びるシャフト１８を設ける。さらに、通風口１６を閉塞可能な大きさに形成したお椀型の羽根２０を、シャフト１８の軸方向に沿って摺動可能に配置する。なお、通風口１６および羽根２０を円形とすることにより、通風口１６からの空気漏れを有効に阻止することができる。また、室内の設定圧力に応じて、バランスウエイト２１を羽根２０に付加する。
【００１６】
なお上記以外にも、外枠の内側に垂直軸を配置するとともに、シャフトが斜め上向きとなるように傾斜配置した回転板を上記垂直軸の周りに回転可能としてもよい。この場合にも、垂直軸周りに回転板を半回転させれば、外枠内の通風方向を逆転させることができる。
【００１７】
なお図２に示すように、外枠６に対して回転板１４を所定位置で仮固定するラッチ錠２２を形成するのが好ましい。具体的には、回転板１４における外枠６と相対する側面に水平穴２３を設け、その内部に錠部材２４を配置する。なお、錠部材２４と水平穴２３の底面との間にばね２５を配置して、錠部材２４を外枠６に向かって付勢する。一方、外枠６にはラッチ溝２６を形成し、錠部材２４との係合を可能とする。なおラッチ溝２６の形成位置は、図５（１）および（２）のように回転板１４を仮固定可能な位置とする。このようなラッチ錠２２を形成し、回転板１４を仮固定可能とすることにより、次述するカバー部材の装着を簡易かつ迅速に行うことができる。
【００１８】
また図１に示すように、外枠６の端部に装着するカバー部材３０を形成する。図３にカバー部材の説明図を示す。同図（１）は正面図であり、（２）は側面図であり、（３）は背面図である。カバー部材３０は、ステンレス等の金属材料またはプラスチック材料等により、外枠６の外形と同等の大きさに形成する。カバー部材３０の内側表面の外縁部全周に、外枠６の端部全周を封止する第１封止部材３１を取り付ける（図１参照）。具体的には、第１封止部材３１としてゴム材料等からなるパッキンを取り付ける。一方、回転板１４の位置を固定するため、カバー部材３０の中央部を外枠６の内部に向かって突出させ、回転板固定部３２を形成する。なお回転板固定部３２の内側には通風路３２ｂを形成する。そして回転板固定部３２の先端面３２ａの外縁部全周に、ダンパ本体１０の回転板１４における通風口１６の開口縁部全周を封止する、第２封止部材３３を取り付ける（図１参照）。具体的には、第２封止部材３３としてゴム材料等からなるパッキンを取り付ける。以上により、外枠６とダンパ本体の回転板１４との隙間からの通風を阻止することができる。なお、カバー部材は外枠６の片側端部のみに装着すれば足りるが、両側端部に装着することにより通風をより確実に阻止することができる。
【００１９】
なお、室内を陽圧に設定する場合には、図５（１）に示すように室内側から外部側にかけてシャフトが上向きとなるように、回転板を傾斜させて固定する。そこで回転板固定部３２の先端面３２ａは、回転板を所定の位置に固定可能とすべく傾斜面に形成する。一方、室内を陰圧の設定に切り替える場合には、図５（２）に示すように外部側から室内側にかけてシャフトが上向きとなるように、回転板を傾斜させて固定する。なお本実施形態では、回転板の中心に水平軸を配置してダンパ本体を形成するとともに、カバー部材３０を上下反転して装着可能に形成しているので、ダンパ本体の回転板を所定の位置に固定することができる。
【００２０】
なお上述したように、回転板を垂直軸の周りに回転可能とした場合には、室内外のカバー部材を交換して取り付けることにより、ダンパ本体を所定の位置に固定することができる。
【００２１】
また、ダンパ本体の通風量を調整するため、回転板固定部３２の通風路３２ｂに抵抗板（不図示）を設けてもよい。抵抗板は、適当な大きさのパンチ穴を金属板等に穿設して形成し、カバー部材に対して着脱自在とする。
【００２２】
一方、図１に示すように、外枠６に対してカバー部材３０を着脱自在とする、係合手段３５を設ける。例えば、外枠６の張り出し部分の上下面端部に突起３６を設けるとともに、カバー部材３０の対応する部分にはフック３８をヒンジ結合する。そして、突起３６とフック３８との係合および係合解除により、外枠６に対してカバー部材３０を着脱自在とする。
【００２３】
加えて図１に示すように、室内が陽圧または陰圧のいずれに設定されるかを表示する表示手段４０を設ける。表示手段４０は、壁面２の室内側および外部側の両方に設けて、室内側および外部側におけるカバー部材の装着時に、室内が陽圧または陰圧のいずれに設定されるかを確認可能とするのが好ましい。図４に表示手段４０の正面図を示す。表示手段４０は、例えば陽圧の設定を表す陽圧ランプ４１または陰圧の設定を表す陰圧ランプ４２のいずれかが点灯するように形成する。
【００２４】
また図１に示すように、外枠６の内周上下面に、陽圧ランプ４１の点灯スイッチ４３および陰圧ランプ４２の点灯スイッチ４４を設ける。室内を陽圧に設定する場合には、図５（１）のようにカバー部材３０を取り付けるので、陽圧を示すランプ４１の点灯スイッチ４３のみが回転板固定部３２の側面によりＯＮされ、陰圧を示すランプ４２の点灯スイッチ４４はＯＦＦのままとなる。一方、室内を陰圧に設定する場合には、図５（２）のようにカバー部材３０を取り付けるので、スイッチの状態は上記と逆になる。このように、カバー部材３０の装着状態を検知する検知手段として点灯スイッチ４３，４４を設ければ、室内の設定に合わせて陽圧ランプ４１または陰圧ランプ４２のいずれかが点灯する。
【００２５】
上記のように構成した実施形態に係る差圧調整ダンパは、以下のようにして使用する。図５（１）は、室内を陽圧に設定する場合の差圧調整ダンパの構成および動作の説明図であり、図５（２）は、室内を陰圧に設定する場合の差圧調整ダンパの構成および動作の説明図である。なお、以下には室内の設定を陽圧から陰圧に切り替える場合について説明するが、陰圧から陽圧に切り替える場合も同様に行うことができる。
【００２６】
まず、図１の状態に形成した差圧調整ダンパを使用して、室内を一定の陽圧に制御する。図１では、シャフト１８を傾斜させた状態でダンパ本体１０を固定しているので、羽根２０およびバランスウエイト２１の自重により、羽根２０はシャフト１８の下部に位置して通風口１６を閉鎖している。なお、室内の圧力が設定圧力よりも低い状態では、外部の圧力並びに羽根２０およびバランスウエイト２１の自重が勝り、図１に示すように羽根２０はシャフト１８の下部に位置したままである。一方、室内の圧力が設定圧力を上回ると、図５（１）に示すように羽根２０はシャフト１８の上端部に移動して通風口１６を解放する。すると、陽圧の室内から外部に向かって矢印５１のように空気が流出し、室内の圧力は低下する。これにより、室内が一定の陽圧に保持される。
【００２７】
次に、室内の設定を陰圧に切り替える手順につき、図１を参照して説明する。まず、係合手段３５の係合を解除して、カバー部材３０を外枠６から取り外す。その際、カバー本体３０の回転板固定部３２の側面によりＯＮされていた陽圧ランプの点灯スイッチ４３がＯＦＦになり、陽圧ランプ４１（図４参照）が消灯する。
【００２８】
次に、回転板１４を押してラッチ錠２２（図２参照）の係合を解除し、回転板１４を図５（２）の位置まで回転させる。そしてその位置で再びラッチ錠を係合させ、回転板を仮固定する。次に、カバー部材３０を上下反転させて外枠６に装着する。装着は、カバー部材３０にヒンジ結合されたフック３８を、外枠６の突起３６に係合させることにより行う。すると、カバー部材３０に取り付けた第１封止部材３１が外枠６の端部全周に当接して当該部分を封止するとともに、カバー部材３０に取り付けた第２封止部材３３が回転板１４の通風口１６の縁部全周に当接して当該部分を封止し、外枠６とダンパ本体の回転板１４との隙間からの通風を阻止する。また、カバー部材３０の回転板固定部３２における先端面３２ａの傾斜に沿って、回転板１４ひいてはダンパ本体１０の位置が固定される。さらに、回転板固定部３２の側面により陰圧ランプの点灯スイッチ４４がＯＮされ、陰圧ランプ４２（図４参照）が点灯する。
【００２９】
そして、図５（２）の状態に再構成した差圧調整ダンパを使用して、室内を一定の陰圧に制御する。室内の圧力が設定圧力よりも高い場合には、室内の圧力並びに羽根２０およびバランスウエイト２１の自重が外部の圧力に勝り、羽根２０はシャフト１８の下部に位置したままである。一方、室内の圧力が設定圧力を下回ると、図５（２）に示すように羽根２０はシャフト１８の上端部に移動して通風口１６を解放する。すると、外部から陰圧の室内に向かって矢印５２のように空気が流入し、室内の圧力は上昇する。これにより、室内が一定の陰圧に保持される。
【００３０】
上記のように構成した実施形態に係る差圧調整ダンパを、上記の方法で使用することにより、陽圧および陰圧のいずれにも圧力一定制御を可能とすることができる。この点、従来の差圧調整ダンパは通風方向が１方向のみであり、陽圧または陰圧のいずれかに圧力一定制御を行いうるのみであった。
【００３１】
しかし、実施形態に係る差圧調整ダンパは、室の壁面を貫通して形成した外枠と、外枠内に配置した水平軸の周りを回転自在に形成され、外枠内の通風方向を逆転可能としたダンパ本体と、外枠とダンパ本体との隙間における通風を阻止するとともに、ダンパ本体を所定の位置に固定する、外枠に対して着脱自在に形成されたカバー部材とを有する構成とした。
【００３２】
ダンパ本体を回転させることにより、ダンパ本体の通風方向を逆転させることができる。従って、陽圧および陰圧のいずれにも圧力一定制御が可能となる。これにより、１個の圧力制御室を陽圧および陰圧に切り替えることができるので、別個の圧力制御室を設ける必要がなくなり、コストを削減することができる。また、差圧調整ダンパを通風方向に合わせて取付け直す必要がないので、壁面が汚れることがなくコストを削減することができる。さらに、２個の差圧調整ダンパを逆向きに設置する必要がないので、コストおよびスペースを削減することができる。一方、カバー部材を装着するだけで、外枠とダンパ本体との隙間からの通風を阻止するとともに、ダンパ本体を所定の位置に固定することができるので、コストを削減することが可能となる。
【００３３】
またカバー部材は、外枠との係合手段を有することにより外枠に対して着脱自在に形成され、上下反転して外枠に装着することにより外枠内の通風方向が逆転する位置にダンパ本体を固定可能に形成した構成とした。これにより、室内を陽圧と陰圧との間で切り替える際に、別途カバー部材を形成しなくても、ダンパ本体を所定位置に固定することができる。従って、コストを削減することが可能となる。
【００３４】
さらにカバー部材は、外枠の端部全周を封止する第１封止部材およびダンパ本体の通風口の縁部全周を封止する第２封止部材を有することにより、外枠とダンパ本体との隙間における通風を阻止可能に形成した構成とした。これにより、封止部分が摺動して損傷することがないので、長期間にわたって通風を阻止することができ、陽圧および陰圧のいずれにも圧力一定制御が可能となる。
【００３５】
また、カバー部材の装着状態を検知する検知手段と、検知手段からの検知信号により室内が陽圧または陰圧のいずれに設定されているかを表示する表示手段とを有する構成とした。カバー部材の装着状態と室内の圧力設定とは対応関係にあるので、これにより、室内が陽圧または陰圧のいずれに設定されるか容易に確認することができる。よって、差圧調整ダンパが逆向きに固定される事態を回避することができる。
【００３６】
【発明の効果】
大気圧に対し一定の陽圧または陰圧に室内を保持するための差圧調整ダンパであって、前記室の壁面を貫通して形成した外枠と、前記外枠内に配置した水平軸の周りを回転自在に形成され、前記外枠内の通風方向を逆転可能としたダンパ本体と、前記外枠と前記ダンパ本体との隙間における通風を阻止するとともに、前記ダンパ本体を所定の位置に固定する、前記外枠に対して着脱自在に形成されたカバー部材とを有してなり、前記カバー部材は、前記外枠との係合手段を有することにより、前記外枠に対して着脱自在に形成され、上下反転して前記外枠に装着することにより、前記外枠内の通風方向が逆転する位置に前記ダンパ本体を固定可能に形成され、前記外枠の端部全周を封止する第１封止部材および前記ダンパ本体の通風口の縁部全周を封止する第２封止部材を有することにより、前記外枠と前記ダンパ本体との隙間における通風を阻止可能に形成されている構成としたので、陽圧および陰圧のいずれにも圧力一定制御が可能な差圧調整ダンパを、低コストで提供することが可能となる。
【図面の簡単な説明】
【図１】実施形態に係る差圧調整ダンパの説明図であって、図２のＢ−Ｂ線における側面断面図である。
【図２】実施形態に係る差圧調整ダンパの説明図であって、図１のＡ−Ａ線における背面断面図である。
【図３】カバー部材の説明図であり、（１）は正面図であり、（２）は側面図であり、（３）は背面図である。
【図４】表示手段の正面図である。
【図５】（１）は、室内を陽圧に設定する場合の差圧調整ダンパの構成および動作の説明図であり、（２）は、室内を陰圧に設定する場合の差圧調整ダンパの構成および動作の説明図である。
【図６】従来技術に係る差圧調整ダンパの説明図であり、（１）はＣ−Ｃ線における側面断面図であり、（２）は正面図である。
【符号の説明】
２………壁面、５………差圧調整ダンパ、６………外枠、
１０………ダンパ本体、１２………中心軸、１４………回転板、
１６………通風口、１７………支持部材、１８………シャフト、
２０………羽根、２１………バランスウエイト、
２２………係合手段、２３………平行穴、
２４………錠部材、２５………ばね、２６………ラッチ溝、
３０………カバー部材、３１………第１封止部材、
３２………回転板固定部、３２ａ………先端面、
３２ｂ………通風路、３３………第２封止部材、
３５………係合手段、３６………突起、３８………フック、
４０………表示手段、４１………陽圧ランプ，４２………陰圧ランプ、
４３………陽圧ランプの点灯スイッチ、４４………陰圧ランプの点灯スイッチ、
５１，５２………矢印、
６１………差圧調整ダンパ、６３………壁面、６５………ダンパ枠、
６７………シャフト、６９………羽根、７１………バランスウエイト
【図１】
0003818103.tif 000002
【図２】
0003818103.tif 000003
【図３】
0003818103.tif 000004
【図４】
0003818103.tif 000005
【図５】
0003818103.tif 000006
【図６】
0003818103.tif 000007